(57)【要約】【課題】２回以上にわたって放送休止・放送時間変更が予定されている番組の予約を簡単に変更できるようにする。【解決手段】放送録画装置は、定時録画予約された内容２１に従って、決められた時間に放送される番組を録画する定時録画機能と、前記定時録画予約の変更内容２５を有効化する回数を表す回数情報２３を持ち、前記回数情報２３に有効値が設定されている間は、前記定時録画予約の変更内容２５を反映した録画予約条件２２で録画待機し、前記録画予約条件が成立する度に前記回数情報２３を更新する機能と、を備える。【選択図】図１
2008131092.tif 000002
【特許請求の範囲】
【請求項１】
定時録画予約された内容に従って、決められた時間に放送される番組を録画する定時録画機能と、前記定時録画予約を一時的に変更する機能とを備えた放送録画装置であって、
前記定時録画予約の変更内容を有効化する回数を表す回数情報を持ち、前記回数情報に有効値が設定されている間は、前記定時録画予約の変更内容を反映した録画予約条件で録画待機し、前記録画予約条件が成立する度に前記回数情報を更新すること、
を特徴とする放送録画装置。
【請求項２】
定時録画予約された内容に従って、決められた時間に放送される番組を録画する定時録画機能と、前記定時録画予約を一時的に変更する機能とを備えた放送録画装置であって、
前記定時録画予約の内容と、前記定時録画予約の変更内容を記憶する録画予約情報記憶部と、
前記定時録画予約の変更内容を有効化する回数を規定する回数情報を記憶する定時録画予約変更回数記憶部と、
前記定時録画予約変更回数記憶部に有効値が設定されているか否かにより、前記定時録画予約の変更内容を前記定時録画予約に反映するか否かを決定する定時録画予約変更反映部と、
前記定時録画予約の変更内容が反映された録画予約条件が成立する度に、前記定時録画予約変更回数記憶部の回数情報を更新する定時録画予約変更回数更新部と、を備えたこと、
を特徴とする放送録画装置。
【請求項３】
一の定時録画予約につき、前記定時録画予約の変更内容の有無とは別に、録画動作の実行可否を複数回分設定可能であり、
前記録画動作の実行可否設定により、録画を実行するか否かが決定されること、
を特徴とする請求項１又は２に記載の放送録画装置。
【請求項４】
前記定時録画予約変更回数記憶部の回数情報として、予め定められた値が設定されている場合には、前記回数情報を更新せずに、前記定時録画予約の変更内容の反映を継続すること、
を特徴とする請求項１乃至３いずれか一に記載の放送録画装置。
【請求項５】
一の定時録画予約につき、前記定時録画予約の変更内容を複数回分記憶可能であること、
を特徴とする請求項１乃至４いずれか一に記載の放送録画装置。
【請求項６】
一の定時録画予約につき、前記定時録画予約の変更内容を複数記憶可能であり、
前記回数情報に対応する前記定時録画予約の変更内容を、各回の定時録画予約に反映すること、
を特徴とする請求項１乃至４いずれか一に記載の放送録画装置。
【請求項７】
複数の定時録画予約についてそれぞれ設定された各変更内容を反映し、複数の定時録画動作又はその変更内容を反映した録画動作を並行して実行可能としたこと、
を特徴とする請求項１乃至６いずれか一に記載の放送録画装置。
【請求項８】
前記定時録画予約の変更内容として、録画モードを指定可能としたこと、
を特徴とする請求項１乃至７いずれか一に記載の放送録画装置。
【請求項９】
前記定時録画予約の変更内容として、録画先媒体を指定可能としたこと、
を特徴とする請求項１乃至８いずれか一に記載の放送録画装置。
【請求項１０】
定時録画予約された内容に従って、決められた時間に放送される番組を録画する定時録画機能と、前記定時録画予約を一時的に変更する機能とを備えた放送録画装置における録画予約の実行方法であって、
前記放送録画装置が、前記定時録画予約について、予め設定された該定時録画予約の変更内容を反映する回数を表す回数情報を参照するステップと、
前記回数情報が所定の有効値である場合、前記放送録画装置が、前記定時録画予約の変更内容を反映した録画予約条件で録画を実行するステップと、
前記定時録画予約の変更内容を反映した録画予約条件が成立する度に、前記放送録画装置が、前記回数情報を更新するステップと、を含むこと、
を特徴とする録画予約の実行方法。
【請求項１１】
一の定時録画予約につき、前記録画動作の実行可否を複数回分設定可能であり、
前記録画動作の実行可否設定により、録画を実行するか否かが決定されること、
を特徴とする請求項１０に記載の録画予約の実行方法。
【請求項１２】
前記回数情報として、予め定められた値が設定されている場合には、前記回数情報を更新せずに、前記定時録画予約の変更内容の反映を継続すること、
を特徴とする請求項１０又は１１に記載の録画予約の実行方法。
【請求項１３】
前記放送録画装置が、一の定時録画予約につき複数回分記憶されている定時録画予約の変更内容を反映した録画予約条件で録画を実行すること、
を特徴とする請求項１０乃至１２いずれか一に記載の録画予約の実行方法。
【請求項１４】
一の定時録画予約につき、前記定時録画予約の変更内容が複数記憶されている場合には、
前記放送録画装置は、前記回数情報に対応する前記定時録画予約の変更内容を、各回の定時録画予約に反映すること、
を特徴とする請求項１０乃至１２いずれか一に記載の録画予約の実行方法。
【請求項１５】
前記定時録画予約の変更内容として、録画モードを指定可能であり、
前記指定された録画モードで録画を実行すること、
を特徴とする請求項１０乃至１４いずれか一に記載の録画予約の実行方法。
【請求項１６】
前記定時録画予約の変更内容として、録画先媒体を指定可能であり、
前記指定された録画先媒体に、録画内容を記録すること、
を特徴とする請求項１０乃至１５いずれか一に記載の録画予約の実行方法。
【発明の詳細な説明】
【技術分野】
【０００１】
本発明は、放送録画装置及び録画予約の実行方法に関し、特に、毎回決められた時間に放送される番組等を録画するための定時録画機能と、定時録画予約を一時的に変更する機能とを備えた放送録画装置及び録画予約の実行方法に関する。
【背景技術】
【０００２】
映画、スポーツ実況、特別番組等の録画予約は日時を細かく設定する必要があるが、毎日、毎平日、毎週、隔週等の決まった枠で継続して放送される番組に対しては、放送日属性や時間帯等を指定するだけで良い定時録画機能が用意されている。
【０００３】
ところが、放送局側の事情等により、定時録画機能を利用して録画予約した番組が休止となり、その日あるいはその週といった特定の回だけ録画を行いたくない場合がある。当然、設定した定時録画予約を消去すれば録画実行は行われないことになるが、番組休止の後に、番組の再開に備えて再び以前と同じ定時録画予約を設定する必要がある。
【０００４】
例えば、特許文献１には、番組がレギュラー枠に戻った際の設定忘れや設定間違いを防ぐために、予約情報毎に、保留、一回保留、延長、遅れといった履行条件・変更情報を設定可能とした番組予約装置が開示されている。
【０００５】
特許文献１の番組予約装置は、保留条件（録画を実行しない条件）と呼ばれる１ビットの情報を持つフラグを新設してユーザに設定させるようになっている。保留条件には２種類あり、それぞれ「解除されるまで保留」、「１回だけ保留」となっている。また、上記保留条件以外に「遅れ時間」「延長時間」を設定できるようになっており、ユーザは、これらを適宜設定することにより、予約時間を遅らせたり、延長したりできるようになっている（遅れ時間は録画開始時刻の差分、延長時間は録画時間の差分である）。
【０００６】
なお、特許文献１の番組予約装置では「解除されるまで保留」以外の履行条件・変更情報は、一旦条件が成立すると、自動的にクリアされるようになっている（特許文献１の図４のステップ１１０、ステップ１１２、ステップ１１６）。
【０００７】
【特許文献１】特開平６−６０４７４号公報
【発明の開示】
【発明が解決しようとする課題】
【０００８】
しかしながら、番組編成替期や大きなスポーツイベント等が予定されている時期では、番組が２回以上連続して放送休止や放送時間変更になることがある。このような連続した放送休止や放送時間変更が予定されている番組を録画予約するには、上記した定時予約機能でなく、放送日時や放送局を個々に指定する個別予約機能を利用することが考えられるが、面倒であり、また入力ミスが生じやすいという問題点がある。
【０００９】
また、特許文献１の番組予約装置で、２週連続の放送休止に対応させようとする場合、最初の予約設定の時点で「１回だけ保留」を設定し、１週目の放送日時が終った時点から２週目の放送日時が始まるまでの間に、再び「１回だけ保留」を設定するか、もしくは最初の予約設定の時点で「解除されるまで保留」の設定にしておいて、２週目が終った時点で「解除されるまで保留」をクリアしなくてはならない。毎晩放送される番組が２回連続で放送休止となる場合は、もっとシビアであり、１日目の放送終了後から２日目の放送開始までの間に「１回だけ保留」を再設定するか、３日目に必ず「解除されるまで保留」をクリアしなくてはならないことになる。
【００１０】
このように連続した放送休止や放送時間変更まで想定すると、上記した従来の番組予約装置では、設定忘れや設定間違いを誘発しやすく、ユーザに手間をかけさせてしまうことになりかねない。
【００１１】
また、特許文献１の番組予約装置では、放送開始の遅れや放送時間延長に対応するための変更情報（延長・遅れ）は、一回毎にクリアされるようになっているため、例えば、２回以上連続した延長・遅れに対応できないという問題点もある。
【課題を解決するための手段】
【００１２】
本発明の第１の視点によれば、定時録画予約された内容に従って、決められた時間に放送される番組を録画する定時録画機能と、前記定時録画予約を一時的に変更する機能とを備えた放送録画装置であって、前記定時録画予約の変更内容を有効化する回数を表す回数情報を持ち、前記回数情報に有効値が設定されている間は、前記定時録画予約の変更内容を反映した録画予約条件で録画待機し、前記録画予約条件が成立する度に前記回数情報を更新すること、を特徴とする放送録画装置が提供される。
【００１３】
本発明の第２の視点によれば、定時録画予約された内容に従って、決められた時間に放送される番組を録画する定時録画機能と、前記定時録画予約を一時的に変更する機能とを備えた放送録画装置における録画予約の実行方法であって、前記放送録画装置が、前記定時録画予約について、予め設定された該定時録画予約の変更内容を反映する回数を表す回数情報を参照するステップと、前記回数情報が所定の有効値である場合、前記放送録画装置が、前記定時録画予約の変更内容を反映した録画予約条件で録画を実行するステップと、前記定時録画予約の変更内容を反映した録画予約条件が成立する度に、前記放送録画装置が、前記回数情報を更新するステップと、を含むこと、を特徴とする録画予約の実行方法が提供される。
【発明の効果】
【００１４】
本発明によれば、定時録画予約の対象となっている番組が２回以上にわたって放送休止、放送時間変更が予定されている場合に、容易な操作で一括して録画予約することが可能となる。その理由は、定時録画予約の変更内容を有効化する回数を表す回数情報を設定可能とし、２回以上にわたって定時録画予約の変更内容を適用できるよう構成したことにある。
【発明を実施するための最良の形態】
【００１５】
続いて、本発明を実施するための最良の形態について図面を参照して詳細に説明する。
【００１６】
［第１の実施形態］
図１は、本発明の第１の実施形態に係る放送録画装置の構成を機能ブロックで表した図である。図１の１０は、ユーザにより登録された予約一覧表をイメージ的に表したものであり、予約一覧表（録画予約情報記憶部）１０に登録された複数の録画予約データ１１には、定時録画予約データ１２が含まれている。
【００１７】
定時録画予約処理部２０は、定時録画予約データ１２に定められた変更条件等に基づき、放送録画部３０の録画予約テーブル３１に登録する予約データを決定する。
【００１８】
定時録画予約データ１２から読み出された定時録画データ２１は、日付、チャンネル、開始時刻、録画時間、録画先、録画モード等の毎日、毎週、隔週等の予め定められた時間に放送される番組の予約データである。
【００１９】
定時録画データ２１には、更に、ユーザが設定した定時録画予約データの変更を適用する回数を示す予約変更回数情報２３（数値０、数値１〜数値ｎ、無限）と、直近回の放送を録画実行するか否かを示す予約実行フラグ２４と、定時録画データ２１の変更データ２５（定時録画データ２１に対する開始時刻、終了時刻等の変更量）とが含まれている。
【００２０】
例えば、毎週番組で次回（翌週）の放送回が休みの場合、ユーザは、１回だけ定時録画予約に変更を及ぼしたいということで、予約変更回数情報２３に「１」と設定し、予約実行フラグ２４に「録画実行しない」との値「０」を設定する。
【００２１】
同様に連続してｎ回分の放送回を録画したくない場合は、ユーザは、予約変更回数情報２３に定時録画予約に変更を及ぼしたい回数「ｎ」と設定し、予約実行フラグ２４に「録画実行しない」との値「０」を設定する。
【００２２】
更に、回数を決めずに当面当該番組を録画したくない場合は、ユーザは、予約変更回数情報２３に無限であることを示す値（例えば「９９」）を設定し、予約実行フラグ２４に「録画実行しない」との値「０」を設定する。
【００２３】
例えば、毎週番組で次回（翌週）の放送時間に変更がある場合、ユーザは、１回だけ定時録画予約に変更を及ぼしたいということで、予約変更回数情報２３に「１」と設定し、変更データ２５として定時録画データ２１に対する開始時刻、終了時刻等の変更量（例：開始時刻＋１時間、終了時刻＋２時間）を設定する。なお、上記定時録画データ２１に対する変更量は、必ずしも正の値である必要は無く、録画開始時刻を繰り上げたり、録画時間を短縮したりする場合には、負の値（例：開始時刻―３０分、終了時刻−２時間）が設定されることになる。
【００２４】
同様にｎ回だけ録画開始時刻や録画時間を変更したい場合、ユーザは、ｎ回だけ定時録画予約に変更を及ぼしたいということで、予約変更回数情報２３に「ｎ」と設定し、変更データ２５として定時録画データ２１に対する開始時刻、終了時刻等の変更量（例：開始時刻＋１時間、終了時刻＋２時間）を設定する。
【００２５】
更に、回数を決めずに当面当該番組の放送時間が変更となった場合は、ユーザは、予約変更回数情報２３に無限であることを示す値（例えば「９９」）を設定し、同様に、変更データ２５を設定する。
【００２６】
予約変更判定部（定時録画予約変更反映部）２６は、予約変更回数情報２３の値が０以外である場合は、定時録画データ２１に対し、変更データ２５を適用し、変更済み定時録画データ２２を生成する。
【００２７】
予約実行フラグ付加部２７は、変更済み定時録画データ２２に対して、予約実行フラグ２４の内容を付加して、予約データ書き込み部２８に送信する。
【００２８】
予約データ書き込み部２８は、予約変更回数情報２３の値が０である場合は、定時録画データ２１を選択し、予約変更回数情報２３の値が０以外である場合は、予約実行フラグ２４が付加された変更済み定時録画データ２２を選択し、放送録画部３０の録画予約テーブル３１に登録する。
【００２９】
録画部３２は、チューナ、エンコーダ、レコーダ等で構成され、録画予約テーブル３１に登録された日付、チャンネル、開始時刻、録画時間、録画先、録画モード等の内容に従って録画動作を行う。録画部３２は、定時録画予約変更回数更新部としても機能し、録画予約テーブル３１の上記開始時刻が到来する度に、予約変更回数情報２３の値を更新する動作を行う。
【００３０】
続いて、本実施形態に係る放送録画装置の録画動作について図面を参照して詳細に説明する。図２は、本実施形態に係る放送録画装置の録画動作の流れを表したフローチャートである。
【００３１】
図２を参照すると、予約変更判定部２６は、定時録画データ２１の予約変更回数情報２３の値が０であるか否かを確認する（ステップＳ１０１）。
【００３２】
予約変更回数情報２３の値が０である場合は、定時録画データ２１は変更されることなくそのまま予約データ書き込み部２８に送られ、録画予約テーブル３１に登録される（ステップＳ１０２）。
【００３３】
一方、予約変更回数情報２３の値が１以上、あるいは、無限であることを示す値（例えば「９９」）である場合は、定時録画データ２１に変更データ２５による変更が加えられ、変更済み定時録画データ２２が生成される。更に、変更済み定時録画データ２２は、予約実行フラグ付加部２７にて予約実行フラグ２４の値が付加された後、予約データ書き込み部２８に送られ、録画予約テーブル３１に登録される（ステップＳ１１０）。
【００３４】
なお、本実施形態では、定時録画データ２１と変更データ２５を変更済み定時録画データ２２とは別に記録しているため、再修正の際にオリジナルの定時録画データ２１や過去に設定した変更データ２５を参照できるようになっている。
【００３５】
続いて、録画予約テーブル３１に登録された各予約データについて、付加された予約実行フラグ２４の値により録画を行うか否かが決定される（ステップＳ１０３）。ここで、予約実行フラグ２４が録画実行を示す値である場合はステップＳ１０４に進み、録画部３２は、録画開始時刻の到来を待つ。一方、予約実行フラグ２４が録画実行しないことを示す値である場合はステップＳ１１１に進み、録画開始時刻の到来後、予約変更回数情報のデクリメント（減算）を行う。なお、図２の例では、録画を実行しない場合であっても（ステップＳ１０３の「録画実行しない」）、録画開始時刻の到来時に、上記予約変更回数情報のデクリメント（減算）を行うものとしているが、図２のステップＳ１１１の括弧内に表したように、録画終了時刻に同デクリメント動作を行うものとしてもよい。
【００３６】
続いて、録画部３２により、録画開始時刻の到来有無が確認され（ステップＳ１０４）、録画開始時刻になっている場合、録画処理が開始される（ステップＳ１０６）。また、録画終了時刻になっている場合、録画終了処理が実行される（ステップＳ１０７）。
【００３７】
録画が終了すると、放送録画装置は、再度、予約変更回数情報２３の値を確認し（ステップＳ１０８）、予約変更回数情報２３が０もしくは無限であった場合、ステップＳ１０５に進み、次の定時録画データ２１の処理を行う。
【００３８】
一方、予約変更回数情報２３が有効な数値（１〜ｎ）であった場合、放送録画装置は、予約変更回数情報２３をデクリメントして（ステップＳ１０９）、ステップＳ１０５に進む。
【００３９】
以上のように、定時録画予約データ１２に、その変更許容回数を示す予約変更回数情報２３を持たせることにより、任意の連続回数だけ予約内容に変更を及ぼす範囲（回数）を制御することが可能になる。
【００４０】
更に本実施形態では、定時録画データ２１に有効な変更データ２５が設定されている場合であっても、予約変更回数情報２３を０にすれば、定時録画データ２１に変更が適用されることはない。このことは、定時録画データ２１に一時的な変更を加えた後、その変更データ２５をクリアする必要が無くなることを意味する。これにより、例えば、特定の時期において、放送時間が一定量シフトする、一定時間延長することのある番組の予約操作が容易化される。
【００４１】
［第２の実施形態］
続いて、上記本発明の第１の実施形態に変更を加えた第２の実施形態について図面を参照して詳細に説明する。本発明の第２の実施形態は、１つの番組に対して、複数の予約実行フラグ及び変更データを設定可能としたことを特徴としている。
【００４２】
図３は、本発明の第２の実施形態に係る放送録画装置の定時録画予約処理部２０の構成を機能ブロックで表した図である。図１の第１の実施形態の定時録画予約処理部２０との相違点は、複数の予約実行フラグ２４ａ及び変更データ２５ａの登録を受け付け、取り扱い可能となっている点である。
【００４３】
図３の右の２５ａ１、２５ａ２は、変更内容Ａを３回適用した後、変更内容Ｂを１回適用し、変更内容Ｃを２回適用する場合における変更データの構成例である。２５ａ１は、全部の変更内容を時系列にそのまま並べた例であり、２５ａ２は、個々の変更内容にヘッダを付けて繰り返し回数を記述可能とし、データ量を節約可能とした例である。
【００４４】
また、本実施形態においては、予約変更回数情報２３は、上記複数の予約実行フラグ２４ａ及び変更データ２５ａを選択する際のインデックス番号としても使用される。
【００４５】
本実施形態と、上記第１の実施形態との動作上の相違点は、図２のステップＳ１１０において、予約変更回数情報２３の値に応じた予約実行フラグ２４ａ及び変更データ２５ａを参照して、変更済み定時録画データ２２を生成し、録画予約テーブル３１に登録を行う点である。
【００４６】
予約変更回数情報２３の値が０である場合の動作は、上記した第１の実施形態と同様であり、予約実行フラグ２４ａ及び変更データ２５ａは参照されず、定時録画データ２１が変更されることもない。
【００４７】
一方、予約変更回数情報２３の値が１〜ｎである場合、最後から数値１〜ｎ番目の予約実行フラグ２４ａ及び変更データ２５ａが参照され、定時録画データ２１に変更が加えられる。即ち、予約変更回数情報２３の値がユーザの初回入力値ｍである場合（最初に参照される場合）は、予約実行フラグ２４ａ及び変更データ２５ａの最初の設定値（図３の２５ａ１の例での変更データ「Ａ」）が選択され、予約変更回数情報２３の値が最小値「１」である場合（最後に参照される場合）は、予約実行フラグ２４ａ及び変更データ２５ａの最後の設定値（図３の２５ａ１の例での変更データ「Ｃ」）が選択される。
【００４８】
このとき、予約変更回数情報２３の値と、予約実行フラグ２４ａの総数と、変更データ２５ａの総数は、矛盾無く設定されているべきであるため、ユーザがこの３つの何れかを変更した際には、自動的に他の２つの再設定を促すようにすることが望ましい。この再設定において、過不足するデータをどのように捨てるかあるいは補充するかといった事項は、放送録画装置の仕様に応じて適宜設定することができる。
【００４９】
予約変更回数情報２３に無限であることを示す値（例えば「９９」）の入力を認めるか否か、認める場合の具体的な動作も放送録画装置の仕様に応じて適宜設定することが可能である。例えば、予約実行フラグ２４ａ及び変更データ２５ａのうちの先頭のデータを連続して用いる、予約実行フラグ２４ａ及び変更データ２５ａの全データを繰り返し用いることで上記矛盾を解決することが可能である。
【００５０】
以上のように、本実施形態によれば、図４に示すように、ある番組について連続して休止・変更が予定されており、しかもその内容が毎回異なっている（図４の変更内容Ａ〜Ｄ）場合にも、対応することが可能となる。
【００５１】
［第３の実施形態］
続いて、上記本発明の第２の実施形態に変更を加えた第３の実施形態について図面を参照して詳細に説明する。本発明の第３の実施形態は、予約変更回数情報２３を用いて複数の予約実行フラグ２４ａ及び変更データ２５ａを選択するのではなく、予約実行フラグ２４ａ及び変更データ２５ａを順番に読み出し、削除していくことを特徴としている。
【００５２】
図５は、本実施形態における変更データ２５ａの遷移を表した図である。同図に表されたように、予約変更回数情報２３の値が、減少していくに従って、変更データ２５ａ（予約実行フラグ２４ａも同様）の先頭のデータが順次参照・削除される。
【００５３】
以上のように、本実施形態によっても、ある番組について連続して休止・変更が予定されており、しかもその内容が毎回異なっている（図４の変更内容Ａ〜Ｄ）場合に対応することが可能となる。
【００５４】
また、本実施形態において、予約変更回数情報２３の値と、予約実行フラグ２４ａの総数と、変更データ２５ａの総数に不整合がある場合も、放送録画装置の仕様に応じて過不足するデータの取り扱いを規定することができる。例えば、予約変更回数情報２３の値と、予約実行フラグ２４ａ又は変更データ２５ａの総数が一致しない場合、予約変更回数情報２３の値を優先し、予約実行フラグ２４ａ又は変更データ２５ａが余分にある場合はこれらを無視し、予約実行フラグ２４ａ又は変更データ２５ａに不足が生じる場合は、規定の変更データ（変更なしという内容も含む）を使用するようにすることができる。
【００５５】
また反対に、予約実行フラグ２４ａ又は変更データ２５ａの総数を優先し、予約実行フラグ２４ａ又は変更データ２５ａが無くなった時点で、予約変更回数情報２３の値を「０」にする、予約実行フラグ２４ａ又は変更データ２５ａの総数と、予約変更回数情報２３の値を強制的に一致させるといった取り扱いが考えられる。
【００５６】
なお、本実施形態では、後々から予約実行フラグ２４ａや変更データ２５ａを参照することは不可能となっているが、その反面、予約実行フラグ２４ａ及び変更データ２５ａを一々削除する操作が不要となっている。
【００５７】
［第４の実施形態］
続いて、多番組同時録画機能を備えた放送録画装置に適用した本発明の第４の実施形態について図面を参照して詳細に説明する。図６は、本実施形態に係る放送録画装置の録画動作の流れを表したフローチャートである。
【００５８】
図６を参照すると、本実施形態に係る放送録画装置は、ステップＳ２０６の録画開始処理を通れば一旦メインループを抜けて他の予約について処理を行うようになっている。即ち、ステップＳ２０４にて録画開始時刻になればステップＳ２０６を実行し、録画終了を待たずにそのままステップＳ２０５に進む。
【００５９】
一方、録画終了時刻が到来した場合（ステップＳ２１２のＹｅｓ）は、ステップＳ２０７で録画終了処理が行われる。
【００６０】
その他、予約実行フラグ２４が録画実行しないことを示す値である場合（ステップＳ２０３の「録画実行しない」）の動作や、予約変更回数情報２３の値に応じた各動作は、上記した各実施形態と同様である。
【００６１】
以上のように、本発明は、多番組同時録画機能を備えた放送録画装置にも適用可能である。なお、多番組同時録画機能については、この他にも主となる処理をマルチタスクにする方法等の種々の方式によって実現することが可能である。
【００６２】
以上、本発明の好適な実施形態を説明したが、定時録画予約の変更内容を有効化する回数を表す回数情報を持ち、この回数情報に有効値が設定されている間は、定時録画予約の変更内容を反映した録画予約条件で録画待機し、前記録画予約条件が成立する度に前記回数情報を更新するという本発明の要旨を逸脱しない範囲で、各種の変形を加えることが可能であることはいうまでもない。
【００６３】
また、上記した実施形態では、定時録画データに対する開始時刻、終了時刻等の変更量を変更データとして登録するものとして説明したが、このほか、録画モードや録画先媒体等を登録できるようにしてもよい。このようにすれば、任意の番組の任意の放送回だけ録画モードや録画先を変更することが可能となる。
【００６４】
また、上記した実施形態では、複数の予約実行フラグ２４ａ及び変更データ２５ａを選択する際のインデックス番号として予約変更回数情報２３を用いる一例を説明したが、予約変更回数情報の初期設定値と予約実行フラグ又は変更データの数が一致している必要は無い。
【００６５】
例えば、予約変更回数情報２３の値が奇数であれば、１番目に記憶された予約実行フラグ又は変更データ（例：放送休止）を適用し、予約変更回数情報２３の値が偶数であれば、２番目に記憶された予約実行フラグ又は変更データ（例：放送時間変更、あるいは、放送時間変更なしでそのまま録画）を適用するといった周期的な変更内容に対応する予約設定も可能となる。
【００６６】
また例えば、予約変更回数情報２３の値が第１の値（例：月末最終放送回）であれば、１番目に記憶された予約実行フラグ及び変更データ（例：放送時間延長）を適用し、予約変更回数情報２３の値が第２の値（例：月末最終放送回の次の回）であれば、２番目に記憶された予約実行フラグ及び変更データ（例：放送休止）を適用し、予約変更回数情報２３の値がその他の値であれば、３番目に記憶された予約実行フラグ及び変更データ（例：放送時間変更なし）を適用するといった変則的な変更内容に対応する予約設定も可能となる。
【図面の簡単な説明】
【００６７】
【図１】本発明の第１の実施形態に係る放送録画装置の構成を機能ブロックで表した図である。
【図２】本発明の第１の実施形態に係る放送録画装置の録画動作の流れを表したフローチャートである。
【図３】本発明の第２の実施形態に係る放送録画装置の定時録画予約処理部の構成を機能ブロックで表した図である。
【図４】本発明の第２の実施形態に係る放送録画装置における変更データの参照順序を説明するための図である。
【図５】本発明の第３の実施形態に係る放送録画装置における変更データの遷移（参照順序）を説明するための図である。
【図６】本発明の第４の実施形態に係る放送録画装置の録画動作の流れを表したフローチャートである。
【符号の説明】
【００６８】
１０  予約一覧表
１１  録画予約データ
１２  定時録画予約データ
２０  定時録画予約処理部
２１  定時録画データ
２２  変更済み定時録画データ
２３  予約変更回数情報
２４  予約実行フラグ
２４ａ  予約実行フラグ群
２５  （定時録画データ２１の）変更データ
２５ａ  （定時録画データ２１の）変更データ群
２５ａ１  （定時録画データ２１の）変更データ群（ベタ書き）
２５ａ２  （定時録画データ２１の）変更データ群（繰り返し数＋内容）
２６  予約変更判定部
２７  予約実行フラグ付加部
２８  予約データ書き込み部
３０  放送録画部
３１  録画予約テーブル
３２  録画部
【図１】
2008131092.tif 000003
【図２】
2008131092.tif 000004
【図３】
2008131092.tif 000005
【図４】
2008131092.tif 000006
【図５】
2008131092.tif 000007
【図６】
2008131092.tif 000008